(57)【要約】      （修正有）【課題】携帯上の便利性があり、手指／足指の爪を切ることができる機能を備えた爪切りを提供する。【解決手段】爪切りが爪切りのケース１、上刃体２、下刃体３、押さえレバー４を含み、ケースは、上部及びその底部の前方が空洞である筐体であり、前端に下刃体を備え、ケースの後端にスライダー５が設けられ、スライダーは、ケースの内部に装着され、スライダーを前方に移動させるケースの外に突き出した押さえ突起５１を有し、上刃体は、ケースの前端に接続され、後端に通孔２１が形成され、押さえレバーの前端はケースの中前部に接続され、押さえレバーの両側壁部の接続点に穴が設けられ、押さえレバーの底部にスプリング１２の一端部が接続され、他端部がピン１０に接続され、押さえレバーの前端は上刃体後端の通孔に挿入され、押さえレバーの後端が下を向き前記ケースの後端と噛み合わせることにより、提供可能となる。【選択図】図１
0003109411.tif 000002
【実用新案登録請求の範囲】
【請求項１】
爪切りのケース、上刃体、下刃体、押さえレバーを含む爪切りであって、
前記ケースが、上部及びその底部の前方が空洞である筐体であり、前端に下刃体を備え、後端にスライダーが設けられ；
前記スライダーが、ケースの内部に装着され、復位スプリングにより前記ケースの後端に接続され、ケースの外に突き出した前記スライダーを前方に移動させる押さえ突起を有し；
前記上刃体が、前記ケースの前端に接続され、また、スプリングにより前記下刃体に接続され、前記上刃体の刃先が前記下刃体の刃先に対応し、前記上刃体の後端に通孔が形成され；
前記押さえレバーが前記ケースの中前部に接続され、前記押さえレバーの両側壁部の接続点にピンを挿入するための穴が設けられ、前記押さえレバーの底部にスプリングの一端部が接続され、他端部がピンに接続され、前記押さえレバーの前端が前記上刃体後端の通孔に挿入され、前記押さえレバーの後端が下を向き前記ケースの後端と噛み合わせることが出来ることを特徴とする、爪切り。
【請求項２】
前記押さえレバーの底部の前方にはめ込み部が設けられ、前記上刃体後端の通孔が、上刃体の上面に対しほぼ垂直又は角度をなして平面的に下向きに曲げられ、前記通孔がはめ込み部と噛み合っていることを特徴とする、請求項１に記載の爪切り。
【請求項３】
前記ケースの底面部の後方に平ヤスリが取り付けられることを特徴とする、請求項１に記載の爪切り。
【請求項４】
前記ケースの後端に中空のつり輪が取り付けられることを特徴とする、請求項１に記載の爪切り。
【考案の詳細な説明】
【技術分野】
【０００１】
本考案は、携帯上の利便性があり、手指／足指の爪を切ることができる機能を備えた爪切りに関する。
【背景技術】
【０００２】
爪切りに関する考案にはさまざまなものがある。しかし、通常の爪切りの押さえレバーを畳む時、両刃先をぴったり閉じることができないので、携帯上不便であり危険である。従来の技術では、爪切りを使用しない時、両刃先をぴったり閉じるための最も簡単な方法はカバーを設けることである。しかしながら、カバーは紛失しやすいので、このカバーを両刃先にかぶせてケースに掛けるものが考案された。そうすると、カバーを紛失することは少なくなるが、爪切りを使用する際に不便であった。この欠点を解消するために、カバーを爪切りのケースに取り付けるものであって、このカバーが押さえレバーでカバーをかみ合わせるものがある。そのような考案は実用的である。しがしながら、押さえレバーでカバーをかみ合わせる時に、押さえレバーはカバーから長期にわたり圧力を受けて、押さえレバーの本体が変形あるいは弾力性を失って、使用することができなくなる。間単に操作でき、または使わない時、刃の口に寄り集まらせることができる爪切りについては、その組み立てが比較的複雑で、生産コストが割高であって、使用する際に便利ではない。体積が比較的小さく、紛失しやすく、刃の口が鈍くなった際に、捨てなければならない爪切りは、その売価が高く、そのような複雑な爪切りを使うことは、市場に広く受け入れられにくいものである。
【０００３】
そのため、現在の爪切りは消費者の要求を満たしているとはいえない。現在の市場では、安全で信頼できる品質を持ち、コンパクトで携帯に便利な爪切り、使用が容易で、折り畳みが容易な爪切り、押さえレバーが長期使用に耐え、変形しない、安価な爪切りが望まれている。
【考案の開示】
【考案が解決しようとする課題】
【０００４】
前記のそれぞれの欠点を克服するために、本考案は、安全で信頼できる品質を持ち、コンパクトで携帯に便利な爪切りであって、使用が容易で、折り畳みが容易な爪切りを提供し、押さえレバーが長期使用に耐え、変形しない、生産コストが安価な爪切りを提供する。
【課題を解決するための手段】
【０００５】
前記の目的を解決するために、本考案は、
爪切りのケース、上刃体、下刃体、押さえレバーを含む爪切りであって、
前記ケースは、上部及びその底部の前方が空洞である筐体であり、前端に下刃体を備え、ケースの後端にスライダーが設けられ；
前記スライダーは、ケースの内部に装着され、復位スプリングにより前記ケースの後端に接続され、前記スライダーを前方に移動させるケースの外に突き出した押さえ突起を有し；
前記上刃体は、前記ケースの前端に接続され、また、スプリングにより前記下刃体に接続され、前記上刃体の刃先が前記下刃体の刃先に対応し、前記上刃体の後端に通孔が形成され；
前記押さえレバーは前記ケースの中前部に接続され、前記押さえレバーの両側壁部の接続点に穴が設けられ、前記押さえレバーの底部にスプリングの一端部が接続され、他端部がピンに接続され、前記押さえレバーの前端は前記上刃体後端の通孔に挿入され、前記押さえレバーの後端が下を向き前記ケースの後端と噛み合わせることが出来ることを特徴とする。
【０００６】
また、本考案の爪切りは、前記押さえレバーの底部の前方にはめ込み部が設けられ、前記上刃部後端の通孔が、上刃部の上面に対しほぼ垂直又は角度をなして平面的に下向きに曲げられ、前記通孔がはめ込み部に噛み合っていることを特徴とする
【０００７】
また、本考案の爪切りは、前記ケースの底面部の後方に平ヤスリが取り付けられることを特徴とし、爪を磨くのに便利である。
【０００８】
また、本考案の爪切りは、前記ケースの後端に中空のつり輪が取り付けられたことを特徴とし、爪切りを掛けるのに便利で、紛失を防ぐ。
【０００９】
本考案の実施形態は、下記のように説明される。
本考案が使用されない時には、前記押さえレバー後端が前記ケース後端の前記スライダーに掛けられ、この前記押さえレバー後端が下を向くように掛けられる。この前記押さえレバー前端が前記上刃体の後端の前記通孔に挿入され、同時に、前記上刃体を下へ掛ける。したがって、前記上刃体の刃先と前記前記下刃体の刃先が相互に噛み合う状態となり、爪切り全体がコンパクトでスリムな箱型になるので、携帯に便利で、構成及び組立てに耐久性があり、安全で信頼できる。
【００１０】
本考案を使う際は、前記押さえ突起を軽く前へ引き伸ばし、前記復位スプリングが縮む状態となり、前記スライダーを前方に滑らせると、前記押さえレバー後方端部が固定されなくなり跳ね上がる。前記押さえレバー後端が跳ね上がると、その前端が下を向き、前記上刃体の後端に設けられた前記通孔に挿入され、前記通孔が下を向きはめ込み部を押さえ、前記上刃体が上へ移動する。よって、前記上刃体の刃先と前記下刃体の刃先が離れる。前記押さえレバー後方端部を押して、前記上刃体を下へ移して、前記上刃体の刃先と前記下刃体の刃先が相互に噛み合って、スプリングで前記押さえレバー後端を繰り返し押し、前記上刃体の刃先と前記下刃体の刃先が相互に離れたり、噛み合ったりすることで、爪を切る目的を達成でき、使用が容易で便利である。
【００１１】
本考案を使い終わった後折り畳む際には、前記押さえレバー後端を引っ張ると、すぐに前記通孔とはめ込み部との引っかかりが外れる。その後、前記押さえレバー後方端部を下へ押圧し、前記押さえレバー後方端部は前記ケース後方端部の前記スライダーに掛けられる。したがって、爪切り全体がコンパクトでスリムな箱型になるように、速くて簡単に折り畳むことができる。
【００１２】
前記の考案を使用して、本考案は、構成が強い爪切り、コンパクトで携帯に便利な爪切り、使用が簡単で、折り畳みが容易な爪切り、構成及び組立てが簡単な爪切り、及び、押さえレバーが長期使用に耐え、変形しない、生産コストに安価な爪切りを提供するので、消費者の要求を満たすものである。
【考案を実施するための最良の形態】
【００１３】
図１及び図３に示すように、本考案の爪切りは、爪切りのケース１、上刃体２、下刃体３、押さえレバー４を含み、ケース１は、上部及びその底部の前方が空洞である筐体であり、前端に下刃体３を備え、ケース１の後端にスライダー５が設けられる。スライダー５は、ケース１の内部に装着され、復位スプリング６によりケース１の後端に接続され、スライダー５を前方に移動させるケース１の外に突き出した押さえ突起５１を有し、スライダー５は復位スプリング６及び支軸７でケース１の後端に接続される。上刃体２は、ピン８でケース１の前端に接続され、また、スプリング９により下刃体３に接続され、上刃体２の刃先が下刃体３の刃先に対応し、上刃体２の後端に通孔２１が形成される。押さえレバー４は、ピン１０によりケース１の中前部に接続され、押さえレバー４の両側壁部の接続点に穴４１が設けられ、ピン１０がそこに挿入される。押さえレバー４の底部に、支軸１１によりスプリング１２の一端部が接続され、スプリング１２の他端部がピン１０に接続される。押さえレバー４の前端は上刃体２後端の通孔２１に挿入される。押さえレバー４の底部の前方にはめ込み部４２が設けられ、上刃体２後端の通孔が、上刃体２の上面に対しほぼ垂直又は角度をなして平面的に下向きに曲げられ、通孔２１がはめ込み部４２に噛み合っている。押さえレバー４の後端が下を向き前記ケースの後端のスライダー５と噛み合っている。ケース１の底面部の後方に平ヤスリ１３が取り付けられる。また、ケース１の後端に中空のつり輪１４が取り付けられている。
【００１４】
図２及び図４に示すように、本考案を使用する際には、押さえ突起５１を軽く前へ引き伸ばすと、復位スプリング６が縮む状態になり、スライダー５を前方へ滑らせて、押さえレバー４後端が固定されなくなり跳ね上がる。押さえレバー４後端が跳ね上がると、その前端が下を向き、上刃体２の後端に設けられた通孔２１に挿入され、通孔２１が下を向いてはめ込み部４２を押さえ、上刃体２を上へ移動させる。したがって、上刃体２の刃先と下刃体３の刃先が離れ、押さえレバー４後端を押して、上刃体２を下へ移し、上刃体２の刃先と下刃体３の刃先が相互に噛み合う。スプリング９で押さえレバー４後方端部を繰り返し押させて、上刃体２の刃先と下刃体３の刃先が相互に離れたり、噛み合ったりすることで、爪を切る目的を実施できる。爪を切った後に、平ヤスリ１３を利用して爪を処置することができる。
【００１５】
図５及び図６に示すように、本考案を使い終わった後折り畳む際には、押さえレバー４後端を引っ張ると、すぐに通孔２１とはめ込み部４２との引っかかりが外れる。その後、押さえレバー４後方端部を下へ押圧し、押さえレバー４後方端部は前記ケース１後方端部のスライダー５に掛けられる。押さえレバー４後端が下に掛けられる時、その押さえレバー４前端が上刃体２後端の通孔２１に押通されて、したがって、上刃体２の刃先と下刃体３の刃先が相互に噛み合う状態となり、爪切り全体がコンパクトでスリムな箱型になる。携帯する際には、つり輪１４で爪切りを物品に掛けて、又はつり輪１４を鍵輪とすることができる。
【産業上の利用可能性】
【００１６】
本考案は、コンパクトで携帯に便利で、構成が強くて、安全で信頼できて、使用しやすく、折り畳みが容易で、構成及び組立てが簡単で、生産コストに安価な爪切りを提供するので、十分に消費者の要求を満たすこととなる。
【図面の簡単な説明】
【００１７】
【図１】本考案の部品組立て図である。
【図２】押さえレバーを上げた状態の立体正投影図である。
【図３】押さえレバーを畳んだ状態の立体正投影図である。
【図４】押さえレバーを上げた状態の断面図である。
【図５】押さえレバーを畳んだ状態の断面図である。
【図６】押さえレバーを畳んだ状態の正面図である。
【符号の説明】
【００１８】
１ケース
２上刃体
３下刃体
４押さえレバー
５スライダー
６復位スプリング
７支軸
８ピン
９スプリング
１０ピン
１１支軸
１２スプリング
１３平ヤスリ
１４つり輪
２１通孔
４１穴
４２はめ込み部
５１押さえ突起
【図１】
0003109411.tif 000003
【図２】
0003109411.tif 000004
【図３】
0003109411.tif 000005
【図４】
0003109411.tif 000006
【図５】
0003109411.tif 000007
【図６】
0003109411.tif 000008